(57)【要約】      （修正有）【課題】簡易に短時間でポールを繋ぐことができ、錆付きを抑制できるポールの繋ぎ部材を提供する。【解決手段】繋ぎ部材１は、繋ぎ部材本体１００と繋ぎ部材本体１００から突出し形成された複数の突出部１０１とを備える。突出部１０１は、個々のポール２Ａ，２Ｂに開けられた繋ぎ用開孔に挿着され、繋ぎ部材本体１００は、挿着された突出部１０１の外側であって繋がれたポ−ル２Ａ，２Ｂの周囲に位置して分割していて開閉が可能で、締付・閉鎖部材３が付設されてなる。【選択図】図７
0003159523.tif 000002
【実用新案登録請求の範囲】
【請求項１】
複数の個々のポ−ルを繋いでいって伸長させたポ−ルとなす際に当該個々のポ−ルと個々のポ−ルとの繋ぎ箇所に使用できる繋ぎ部材であって、当該繋ぎ部材は、繋ぎ部材本体と該繋ぎ部材本体から突出し形成された複数の突出部とを備え、当該突出部は、個々のポ−ルに開けられた繋ぎ用開孔に挿着され、前記繋ぎ部材本体は、当該挿着された突出部の外側であって繋がれたポ−ルの周囲に位置して分割していて開閉が可能で、当該繋ぎ部材には当該繋ぎ部材本体を締付け又は閉鎖することができる締付・閉鎖部材が付設されてなることを特徴とするポ−ルの繋ぎ部材。
【請求項２】
ポ−ルの繋ぎ部材が、複数の個々のポ−ルを繋いでいって伸長させ鯉幟用ポ−ルとなす際に当該個々のポ−ルと個々のポ−ルとの繋ぎ箇所に使用できる繋ぎ部材であることを特徴とする、請求項１に記載のポ−ルの繋ぎ部材。
【請求項３】
ポ−ルの繋ぎ部材が、太陽光発電を付設し、当該太陽光発電を電源として利用できる太陽光発電塔を構築する際に当該個々のポ−ルと個々のポ−ルとの繋ぎ箇所に使用できる繋ぎ部材であることを特徴とする、請求項１に記載のポ−ルの繋ぎ部材。
【請求項４】
ポ−ルの繋ぎ部材が、太陽光発電を付設すると共に、当該太陽光発電を電源とした防犯灯を備えた防犯塔を構築する際に当該個々のポ−ルと個々のポ−ルとの繋ぎ箇所に使用できる繋ぎ部材であることを特徴とする、請求項１に記載のポ−ルの繋ぎ部材。
【請求項５】
ポ−ルの繋ぎ部材が、太陽光発電を付設すると共に、当該太陽光発電を電源とした監視装置を備えた監視塔を構築する際に当該個々のポ−ルと個々のポ−ルとの繋ぎ箇所に使用できる繋ぎ部材であることを特徴とする、請求項１に記載のポ−ルの繋ぎ部材。
【請求項６】
ポ−ルの繋ぎ部材が、太陽光発電を付設すると共に、当該太陽光発電を電源とした宣伝広告塔を構築する際に当該個々のポ−ルと個々のポ−ルとの繋ぎ箇所に使用できる繋ぎ部材であることを特徴とする、請求項１に記載のポ−ルの繋ぎ部材。
【請求項７】
太陽光発電が、防犯塔、監視塔又は宣伝広告塔の電源として使用されると共に、電気自動車等の車両の電源として使用されることを特徴とする、請求項３、４、５又は６に記載のポ−ルの繋ぎ部材。
【考案の詳細な説明】
【技術分野】
【０００１】
本考案は、複数の個々のポ−ルを繋いでいって伸長ポ−ルとなす際に、当該個々のポ−ルと個々のポ−ルとの繋ぎ箇所に使用できる繋ぎ部材に関する。特に、本考案は、鯉幟を高い位置で上げて鯉幟用ポ−ルとなす際や複数の個々のポ−ルを上方向に繋いでいって伸長ポ−ルとなすと共に太陽光発電を付設してなる太陽光発電塔や当該太陽光発電を電源とした防犯塔、監視塔又は宣伝広告看板塔を構築する際等に使用できるもので、従来の錆び付きやすいボルトやナットを使用しなくても簡易に短時間でワンタッチにポ−ルを繋ぐことができ、又、錆付きやすい海岸に近いところでも錆付きを抑制できる等の優れた作用効果を奏することができるポ−ルの繋ぎ部材に関するものである。
【背景技術】
【０００２】
従来、鯉幟を高い位置で上げる為に、複数の個々のポ−ルを繋いでいって伸長させた鯉幟用ポ−ルとなすに、例えば、図１９に示すように、個々の複数のポ−ル１９００に開けられた複数の繋ぎ用開孔１９０１に、ボルト１９０２を挿着し、ナット１９０３を装着し、鯉幟用ポ−ル１９としていた。
当該ボルト１９０２を挿着し、ナット１９０３を装着する作業は、その箇所も多く非常な苦労を強いられ短時間の作業では済ませることが出来なかった。
当該作業を、図１９に示すように、横倒しで行うような場合は勿論、図２０に示すように、ポ−ル１９００を順次上方向に立設しながら当該作業を行う場合には、より一層、その作業には苦労を強いられることになる。
又、ボルト１９０２とナット１９０３とを用いたポ−ルの繋ぎでは、当該ボルト１９０２やナット１９０３が錆付き易く，錆びの為に鯉幟用ポ−ルが倒れ易く安全性を欠如したり、ボルト１９０２やナット１９０３の取り外しが難しくなる等という問題が生じ、特に、海岸乃至海岸に近いところでは、海風からの塩の影響で予想以上に錆びが生じ易いという問題があった。
これらの問題は、防犯塔や監視塔や宣伝広告看板塔等の目的・機能を備えた塔を構築する際等にも当てはまることで、ボルトとナットとを用いたポ−ルの繋ぎでは、その作業に非常な苦労を強いられ短時間の作業では済ませることができず、又、ボルトやナットを使用する繋ぎ構造では錆付き易い等の問題を抱えていた。
【考案の開示】
【考案が解決しようとする課題】
【０００３】
本考案は、上記のような従来技術の欠点を解消し、錆びの発生を防止し、同時に、ポ−ルを繋ぐのに、従来例のようなボルトやナットを使用せずに、しかも、簡易に短時間でワンタッチにポ−ルを繋ぐことができる技術を提供することを目的としたものである。
本考案の他の目的および新規な特徴は以下の明細書及び図面の記載からも明らかになるであろう。
【課題を解決するための手段】
【０００４】
本考案の実用新案登録請求の範囲は、次の通りである。
（請求項１）複数の個々のポ−ルを繋いでいって伸長させたポ−ルとなす際に当該個々のポ−ルと個々のポ−ルとの繋ぎ箇所に使用できる繋ぎ部材であって、当該繋ぎ部材は、繋ぎ部材本体と該繋ぎ部材本体から突出し形成された複数の突出部とを備え、当該突出部は、個々のポ−ルに開けられた繋ぎ用開孔に挿着され、前記繋ぎ部材本体は、当該挿着された突出部の外側であって繋がれたポ−ルの周囲に位置して分割していて開閉が可能で、当該繋ぎ部材には当該繋ぎ部材本体を締付け又は閉鎖することができる締付・閉鎖部材が付設されてなることを特徴とするポ−ルの繋ぎ部材。
（請求項２）ポ−ルの繋ぎ部材が、複数の個々のポ−ルを繋いでいって伸長させ鯉幟用ポ−ルとなす際に当該個々のポ−ルと個々のポ−ルとの繋ぎ箇所に使用できる繋ぎ部材であることを特徴とする、請求項１に記載のポ−ルの繋ぎ部材。
（請求項３）ポ−ルの繋ぎ部材が、太陽光発電を付設し、当該太陽光発電を電源として利用できる太陽光発電塔を構築する際に当該個々のポ−ルと個々のポ−ルとの繋ぎ箇所に使用できる繋ぎ部材であることを特徴とする、請求項１に記載のポ−ルの繋ぎ部材。
（請求項４）ポ−ルの繋ぎ部材が、太陽光発電を付設し、当該太陽光発電を電源として利用できる防犯灯を備えた防犯塔を構築する際に当該個々のポ−ルと個々のポ−ルとの繋ぎ箇所に使用できる繋ぎ部材であることを特徴とする、請求項１に記載のポ−ルの繋ぎ部材。
（請求項５）ポ−ルの繋ぎ部材が、太陽光発電を付設すると共に、当該太陽光発電を電源とした監視装置を備えた監視塔を構築する際に当該個々のポ−ルと個々のポ−ルとの繋ぎ箇所に使用できる繋ぎ部材であることを特徴とする、請求項１に記載のポ−ルの繋ぎ部材。
（請求項６）ポ−ルの繋ぎ部材が、太陽光発電を付設すると共に、当該太陽光発電を電源とした宣伝広告塔を構築する際に当該個々のポ−ルと個々のポ−ルとの繋ぎ箇所に使用できる繋ぎ部材であることを特徴とする、請求項１に記載のポ−ルの繋ぎ部材。
（請求項７）太陽光発電が、防犯塔、監視塔又は宣伝広告看板塔の電源として使用されると共に、電気自動車等の車両の電源として使用されることを特徴とする、請求項３、４５又は６に記載のポ−ルの繋ぎ部材。
【考案の効果】
【０００５】
本願において開示される考案のうち代表的なものによって得られる効果を簡単に説明すれば、下記のとおりである。
すなわち、本考案によるポ−ルの繋ぎ部材は、請求項１に示すように、複数の個々のポ−ルを繋いでいって伸長させ伸長ポ−ルとなす際に当該個々のポ−ルと個々のポ−ルとの繋ぎ箇所に使用できる繋ぎ部材であって、当該繋ぎ部材は、繋ぎ部材本体と該繋ぎ部材本体から突出し形成された複数の突出部とを備え、当該突出部は、個々のポ−ルに開けられた繋ぎ用開孔に挿着され、前記繋ぎ部材本体は、当該挿着された突出部の外側であって繋がれたポ−ルの周囲に位置して分割していて開閉が可能で、当該繋ぎ部材には当該分割した繋ぎ部材本体を締付け又は閉鎖することができる締付・閉鎖部材が付設されてなるので、当該繋ぎ部材本体を個々のポ−ルと個々のポ−ルとの繋ぎ箇所に当接し、当該繋ぎ部材本体から突出し形成された複数の突出部を、個々のポ−ルに開けられた繋ぎ用開孔に挿着し、締付・閉鎖部材により繋ぎ部材本体を締付け又は閉鎖すれば、個々の複数のポ−ルを繋ぐことができるので、従来例のようなボルトやナットを使用せずに済み、従来例のボルトやナットを使用する作業に比較して簡単に短時間でワンタッチでポ−ルを繋ぐことができ、又、従来例のボルトやナットを用いた場合には、当該ボルトやナットが錆付き易く，錆びの為にポ−ルが倒れ易く安全性を欠如したり、ボルトやナットの取り外しが難しくなる等という問題があったが、本考案によれば、そのような問題を解消し、特に、海岸乃至海岸に近いところでの海風からの塩の影響で予想以上に錆びが生じ易いという問題を解消できる。
請求項２に示すように、本考案によるポ−ルの繋ぎ部材は、複数の個々のポ−ルを繋いでいって伸長させ鯉幟用ポ−ルとなす際に使用でき、鯉幟を高い位置で上げて鯉幟用ポ−ルとなす際に、従来例のようなボルトやナットを使用せずに済み、従来例のボルトやナットを使用する作業に比較して簡単に短時間でワンタッチでポ−ルを繋ぐことができ、又、従来例のボルトやナットを用いた場合には、当該ボルトやナットが錆付き易く，錆びの為にポ−ルが倒れ易く安全性を欠如したり、ボルトやナットの取り外しが難しくなる等という問題があったが、当該問題を解消できる。
請求項３に示すように、ポ−ルの繋ぎ部材を、太陽光発電を付設し、当該太陽光発電を電源として利用できる太陽光発電塔を構築する際に、ワンタッチでポ−ルを繋ぐことができ、錆付きの問題を解消できる等の上記と同様に優れた機能を奏し得るし、当該太陽光発電塔の設置が容易に建物一体化によらずにできるので、地震災害時等の非常時の電源を山間地や海や山岳地帯などに確保でき、又、個人の家庭でも使用できる等今後の発展が期待される電気自動車などの電源元の増加が期待できる。
請求項４に示すように、ポ−ルの繋ぎ部材を、太陽光発電を付設すると共に、当該太陽光発電を電源とした防犯灯を備えて防犯塔を構築する際に同様に優れた作用効果を奏し得ると共に、学校、公園、山間地又は高速道路などでの防犯灯を増加させることができる。
請求項５に示すように、ポ−ルの繋ぎ部材を、太陽光発電を付設すると共に、当該太陽光発電を電源とした監視装置を備えた監視塔を構築する際に同様に優れた機能を奏し得、山間地又は高速道路などでの監視塔を増加させることができる。
請求項６に示すように、ポ−ルの繋ぎ部材を、太陽光発電を付設すると共に、当該太陽光発電を電源とした宣伝広告塔を構築する際に同様に優れた機能を奏し得、建物一体化によらずにできる宣伝広告塔を構築できる等の優れた作用効果も奏する。
請求項７に示すように、太陽光発電を防犯塔、監視塔又は宣伝広告塔の電源として使用すると共に、当該太陽光発電を、将来の発展が期待される電気自動車等の車両の電源としても使用されるようにすれば、防犯塔、監視塔又は宣伝広告塔としての機能を果たせると共に、個人の家庭でも使用できる等今後の発展が期待される電気自動車などの電源元の増加が期待できる。
【０００６】
次に、本考案の実施例を図面を参照しつつ説明する。
【実施例】
【０００７】
実施例１
図１（Ａ）及び（Ｂ）に示すように、本考案によるポ−ルの繋ぎ部材１は、繋ぎ部材本体１００と該繋ぎ部材本体１００と突出部１０１とを備えてなる。
図３に当該繋ぎ部材１の展開図を示す。
当該繋ぎ部材本体１００は、例えば、円管のポ−ルの場合にはその円管のポ−ルに合わせて円形に構成されるが、その他角管等であってもよい。当該繋ぎ部材本体１００は、分割していて開閉が可能であるように構成される。当該繋ぎ部材本体１００は、例えば、金属又は合金により構成されるが、プラスチックスなどで構成してもよい。
当該繋ぎ部材本体１００は、開閉が可能であるように適宜折り曲げが可能で可撓性を有することが好ましい。
【０００８】
当該ポ−ルの繋ぎ部材１における当該繋ぎ部材本体１００には、図１及び図３に示すように、当該繋ぎ部材本体１００から突出し形成された複数の突出部１０１を備えてなる。
当該実施例における図示では、当該突出部１０１が、４個設けられている例を示したが、適宜その個数を増加或いは増減させることができる。当該突出部１０１は、ポ−ルの繋ぎ用開孔の数に合わせてその個数を選択することができる。
【０００９】
ポ−ルの立設に際しては、前記の図１９及び図２０で説明のように、複数の個々のポ−ル２（以下、単に、２Ａ及び２Ｂで説明する。）を繋いでいって伸長させて伸長ポ−ルとなす。
当該伸長ポ−ルを構成する際のポ−ル２Ａとポ−ル２Ｂとの繋ぎには、径の異なるポ−ル２Ａとポ−ル２Ｂとを繋ぐ場合がある一方で、径が同じポ−ル２Ａとポ−ル２Ｂを繋ぐ場合がある。
図１（Ｃ）及び図２には、径の異なるポ−ル２Ａとポ−ル２Ｂとを繋ぐ場合について例示してある。例えば、下段のポ−ル（パイプ）２Ａの上に、上段のポ−ル（パイプ）２Ｂとを繋いでいって伸長させ伸長ポ−ルとなすに、当該下段のポ−ル（パイプ）２Ａの上端部には繋ぎ用開孔２００Ａが孔設され、一方、当該上段のポ−ル（パイプ）２Ｂの下端部には繋ぎ用開孔２００Ｂが孔設される。
当該繋ぎ用開孔２００Ａも繋ぎ用開孔２００Ｂも、複数個開けられる。
【００１０】
当該伸長ポ−ルの繋ぎ部材１は、上記のように、複数の個々のポ−ル２Ａ、２Ｂ・・・を繋いでいって伸長させ伸長ポ−ルとなす際に当該個々のポ−ル２Ａと個々のポ−ル２Ｂとの繋ぎ箇所に使用出来るようになっている。
図２（Ａ）に示すように、当該繋ぎ部材本体１００から突出し形成された複数の突出部１０１を個々のポ−ル２Ａ、２Ｂに開けられた繋ぎ用開孔２００Ａ及び２００Ｂに外側から内側に向かって挿着する。
図２（Ａ）及び図２（Ｂ）に示すように、当該繋ぎ部材１における繋ぎ部材本体１００は、ポ−ル２Ａ、２Ｂの繋ぎ位置の周囲に装着される。
当該繋ぎ部材１における繋ぎ部材本体１００を、ポ−ル２Ａ、２Ｂの繋ぎ位置の周囲に装着するには、適宜当該繋ぎ部材本体１００を開き、当該繋ぎ部材本体１００から突出した複数の突出部１０１を個々のポ−ル２Ａ、２Ｂに開けられた繋ぎ用開孔２００Ａ及び２００Ｂに挿着して装着される。
【００１１】
図４（Ａ）は、径が同じポ−ル２Ａとポ−ル２Ｂを繋ぐ場合を例示しており、上記の径の異なるポ−ル２Ａとポ−ル２Ｂとを繋ぐ場合と同様にして行われ、複数の個々のポ−ル２Ａ、２Ｂを繋いでいって伸長させ伸長ポ−ルとなす際に当該ポ−ル２Ａとポ−ル２Ｂとの繋ぎ箇所において、図４（Ｂ）に示すように、当該繋ぎ部材本体１００から突出し形成された複数の突出部１０１を個々のポ−ル２Ａ、２Ｂに開けられた繋ぎ用開孔２００Ａ及び２００Ｂに挿着し、図４（Ｃ）に示すように、当該繋ぎ部材１における繋ぎ部材本体１００を、ポ−ル２Ａ、２Ｂの繋ぎ位置の周囲に装着する。
【００１２】
当該繋ぎ部材１における繋ぎ部材本体１００には、当該繋ぎ部材本体１００を締付け又は閉鎖することができる締付・閉鎖部材３が付設される。
当該締付・閉鎖部材３としては、各種の態様のものが適用できる。
図５及び図６に示す締付・閉鎖部材３の一例は、ハンドル３００とア−ム３０１とを備えてなり、繋ぎ部材本体１００から突出した複数の突出部１０１を個々のポ−ル２Ａ、２Ｂに開けられた繋ぎ用開孔２００Ａ及び２００Ｂに挿着し、繋ぎ部材本体１００を、ポ−ル２Ａ、２Ｂの繋ぎ位置の周囲に装着し、当該締付・閉鎖部材３のハンドル３００を図５の矢標に示すように回転させると、回転ア−ム３０１が回動して、当該繋ぎ部材本体１００を締付け又は閉鎖することができるようになっている。当該繋ぎ部材本体１００の締付け又は閉鎖を解除するには、図６に示すように、当該締付・閉鎖部材３のハンドル３００を回転させ、回転ア−ム３０１を回動させると、当該繋ぎ部材本体１００の締付け又は閉鎖を解除することができるようになっている。
当該繋ぎ部材本体１００の締付け又は閉鎖を解除することにより、ポ−ル２Ａ、２Ｂの繋ぎを解き、伸長ポ−ルを収縮させることができる。又、個々のポ−ルに戻すことができる。
図７及び図８は、当該図５及び図６に示す締付・閉鎖部材３を適用した伸長ポ−ルの組立例を示す。
【００１３】
図９に当該締付・閉鎖部材３の他の例を示す。
図９（Ａ）に示す当該締付・閉鎖部材３は、締付・閉鎖部材本体３０２と先端フック部３０３を有してなり、繋ぎ部材１における繋ぎ部材本体１００の分割された一方側に設けられた基台３０４に付設された当該締付・閉鎖部材本体３０２及び先端フック部３０３を、矢標に示すように、回動させて、繋ぎ部材１における繋ぎ部材本体１００の分割された他方側に設けられたフック掛部３０５にフック掛けする。
図９（Ｂ）に示す当該締付・閉鎖部材３は、コ字状の締付・閉鎖部材本体３０６と先端両側フック部３０７を有してなり、繋ぎ部材１における繋ぎ部材本体１００の分割された一方側に設けられた基台３０８を中心として、当該締付・閉鎖部材本体３０６及び先端フック部３０７を、矢標に示すように、回動させて、繋ぎ部材１における繋ぎ部材本体１００の分割された他方側に設けられたフック掛部３０９にフック掛けする例を示す。
【００１４】
図１０及び図１１に、更に、他の当該締付・閉鎖部材３の例を示す。
図１０及び図１１に示す当該締付・閉鎖部材３は、繋ぎ部材１における繋ぎ部材本体１００の分割された他方側に設けられた締付・閉鎖部材３の持ち上げ部材３１０の端部を指で持ち上げると、回転部３１１の内部のバネ（図示省略）に付勢されている上記締付・閉鎖部材本体３１２を回動させて、繋ぎ部材１における繋ぎ部材本体１００の分割された一方側に設けられたフック掛部３１３の下部にフック掛けできるようになっている。
図１１に示すように、繋ぎ部材１における繋ぎ部材本体１００の分割された他方側の締付・閉鎖部材３の持ち上げ部材３１０の周囲には、図示のように、溝３１４を設け、当該締付・閉鎖部材３の持ち上げ部材３１０の上方への持ち上げを楽にするようにしてある。
図１２に、更に又、他の当該締付・閉鎖部材３の例を示す。
図１２（Ａ）及び（Ｂ）に示すように、当該締付・閉鎖部材３として、繋ぎ部材１における繋ぎ部材本体１００の分割された一方側及び他方側にそれぞれフック掛部３１５を設け、当該フック掛部３１５の貫通穴３１６にバ−３１７を挿通し、ロック部３１８の上部穴に当該バ−３１７に付設された掛け部３１９をロック掛けして又当該ロック掛けを解除して当該締付・閉鎖部材３による繋ぎ部材本体１００の締付け、閉鎖又はそれらの解除を行ってもよい。
【００１５】
本考案によるポ−ルの繋ぎ部材１について上記実施例では片割れする形態例を示したが、図１０（Ｃ）に示すように、ポ−ルの繋ぎ部材１を両割れの形態としてもよい。この場合には、両側に締付・閉鎖部材３を用いて、繋ぎ部材本体１００を締付け又は閉鎖すればよい。
【００１６】
図１３は、本考案によるポ−ルの繋ぎ部材１を用いて鯉幟用ポ−ル４を組立する例を示し、ポ−ル２Ａとポ−ル２Ｂとの繋ぎ箇所に繋ぎ部材１を使用し、順次高さ方向に伸長した鯉幟用ポ−ル４を形成していく。その際に、図示が省略されているが、繋ぎ部材本体１００の突出部１０１をポ−ル２Ａとポ−ル２Ｂに開けられた繋ぎ用開孔２００Ａ、２００Ｂに挿着し、締付・閉鎖部材３により繋ぎ部材本体１００を締付け又は閉鎖していく態様は前記の通りである。
本考案では、図１３に示すように、上記締付・閉鎖部材３を着色し、当該着色された締付・閉鎖部材３が見る人の視覚を刺激させるようにすることが好ましい。
当該鯉幟用ポ−ル４では、図１３に示すように、鯉のぼり、矢車等が飾られる。
【００１７】
実施例２
図１４に本考案によるポ−ルの繋ぎ部材１を用いて他の用途・機能のポ−ルＰを組立する例を示し、ポ−ル２Ａとポ−ル２Ｂとポ−ル２Ｃの繋ぎ箇所に繋ぎ部材１を使用し、順次高さ方向に伸長した用途・機能ポ−ルＰを形成していく。その際に、図示が省略されているが、繋ぎ部材本体１００の突出部１０１をポ−ル２Ａとポ−ル２Ｂとポ−ル２Ｃに開けられた繋ぎ用開孔２００Ａ、２００Ｂ及び２００Ｃに挿着し、締付・閉鎖部材３により繋ぎ部材本体１００を締付け又は閉鎖していく態様は前記の通りである。
図１４は、本考案によるポ−ルの繋ぎ部材１を用いて他の用途・機能のポ−ルＰを組立すると共に、当該用途・機能のポ−ルＰの組立の際には、同図に示すように、太陽光発電５を付設して、太陽光発電塔Ｔを構築する例を示す。
当該太陽光発電塔Ｔに使用される太陽光発電５は、例えば、太陽電池を利用し、太陽光のエネルギ−を直接的に電力に変換する発電方式により構成される。
当該太陽光発電５は、例えば、屋外用アモルファスシリコン、インジウムなどにより構成される。
当該太陽光発電５は、基本的な複数のセル５０により構成され、更には、当該セル５０を直列接続し、樹脂や強化ガラス、金属枠で保護したモジュ−ル（パネル）により構成される。当該太陽光発電モジュ−ルは、ソ−ラ−パネルと呼ばれることもある。当該モジュ−ルは、必要に応じて複数枚数並べて直列接続してストリングを構成したり、更に、当該ストリングを並列接続してアレイを構成される。
当該太陽光発電５は、太陽電池が発電した電源をＤＣ１２Ｖ電源としてそのまま昼間のみ利用したり、又は、１２Ｖ電源としてそのまま昼間と夜間との両方利用することができる。当該後者の利用の場合の基本的な設備例としては、当該太陽電池、１２Ｖバッテリ−６、チャ−ジコントロ−ラ−（バッテリ−を過充電や過放電から保護する為の機器）７が挙げられる。
更に、当該太陽光発電５は、家庭用電源ＡＣ１００Ｖとして利用することもできる。当該家庭用電源としての利用の場合の基本的な設備例としては、当該太陽電池、１２Ｖバッテリ−６、チャ−ジコントロ−ラ−（バッテリ−を過充電や過放電から保護する為の機器）７が挙げられ、この場合には、更に、ＤＣ／ＡＣインバ−タ−８を備えて、当該ＤＣ／ＡＣインバ−タ−８により直流のＤＣ１２Ｖを交流のＡＣ１００Ｖに変換して出力する必要がある。
図１４に示すように、電気自動車（ＥＶ）９等の車両の電源として使用することができる。自動車９の駆動電源やバッテリ−補助 として利用したり、各種車両機器の電源乃至その補助として利用することができる。
上記のように、本考案のポ−ルの繋ぎ部材１を使用すると、太陽光発電５を付設し、当該太陽光発電５を電源として利用できる太陽光発電塔Ｔを構築する際に、ワンタッチでポ−ル２Ａ、２Ｂ及び２Ｃを繋ぐことができ、ボルト及びナットを使用しないので、錆付きの問題を解消できる等の上記と同様に優れた機能を奏し得るし、当該太陽光発電塔Ｔの設置が容易に建物一体化によらずに出来るので、地震災害時等の非常時の電源を確保できそれも山間地や海や山岳地帯などに容易に確保でき、又、個人の家庭でも電源として利用でき、その際に、個人で、今後の発展が期待される電気自動車などの電源元を確保できる。ポ−ルを立設し、太陽光発電５を付設すればよいので、太陽光発電による電源元を増加できる。
上記の太陽光発電塔（電源塔）Ｔを構成する際に、本考案によるポ−ルの繋ぎ部材１により、当該用途・機能ポ−ルＰを形成していけば、太陽光発電塔設備を容易に構築することができ、本考案によるポ−ルの繋ぎ部材１によれば、従来例のボルトやナットを使用する作業に比較して簡単に短時間でワンタッチでポ−ルを繋ぐことができ、又、本考案によるポ−ルの繋ぎ部材１によれば、繋ぎ部材本体１００の突出部１０１は、ポ−ル２Ａとポ−ル２Ｂとポ−ル２Ｃに開けられた繋ぎ用開孔２００Ａ、２００Ｂ及び２００Ｃに挿着されていて、しかも、締付・閉鎖部材３により当該繋ぎ部材本体１００は締付け又は閉鎖されているので、、ボルトやナットの使用の場合のような錆付きが少なく、錆びの為にポ−ルが倒れ安全性を欠如したり、ボルトやナットのような取り外しが難しくなる等という問題がなく、特に、海岸乃至海岸に近いところでも海風からの塩の影響で予想以上に錆びが生じ易いという問題を解消できるので、当該ポ−ルの設置や当該塔等の構築が容易となり、海岸に近いところでも当該ポ−ルの設置や当該塔等の構築が可能となる。
当該太陽光発電５は、地上に直接設置することも可能であるが、太陽光を十分に受けることができる場所として、一般的には、屋根や壁など建造物に設置（建物一体型の太陽光発電システム）されるのが通常であるが、本考案によれば、当該建物一体型の太陽光発電システムによらない太陽光発電システムを構築できる。近年は軽量で柔軟なフレキシブル型太陽電池も開発されており、取り付けの自由度が高まっているので、個人で当該ポ−ルを容易に設置して当該太陽光発電塔等を構築することができる。
当該太陽光発電５を付設した当該ポ−ルの設置による当該太陽光発電塔の構築物は、送電網が未熟な国々や地域での民生用電化製品の電源、無線通信網の中継局や航空管制局の電源、 燃料の輸送や冷却水の確保が難しい地域の電源、非常時の電源確保、軍用、キャンプ用電源（可搬式）等として利用できる。又、庭にポールを立設し、太陽光発電５を付設して庭園灯としても利用できる。
防犯灯による防犯塔は、学校、公園、山間地又は高速道路などでの防犯の役目を果たす。
【００１８】
当該太陽光発電５は、上記のように、電源として利用できるので、繋ぎ部材１の繋ぎ部材本体１００の突出部１０１をポ−ル２Ａとポ−ル２Ｂとポ−ル２Ｃに開けられた繋ぎ用開孔に挿着し、締付・閉鎖部材３により繋ぎ部材本体１００を締付け又は閉鎖しつつ、順次高さ方向に伸長した用途・機能ポ−ルＰを形成して行く際に、当該太陽光発電４を付設して当該太陽光発電５を電源とした防犯塔、監視塔又は宣伝広告看板塔のような各種の設備を構築することができる。
図１５に示すように、当該太陽光発電４を付設したポ−ルＰの上部に、防犯灯１０ａ、監視カメラ装置１０ｂ又は看板１０ｃ等の当該太陽光発電５を電源としたものを付設すれば、防犯塔や監視塔や宣伝広告塔Ｂを構成することができる。
当該防犯灯１０ａには、例えば、蛍光灯などが使用できる。監視カメラ装置１０ｂは、監視カメラや記録装置等で構成される。又、看板１０ｃは、ネオン管などにより構成される。
上記の防犯塔や監視塔や宣伝広告塔Ｂを構成する際に、本考案によるポ−ルの繋ぎ部材１により、当該用途・機能ポ−ルＰを形成していけば、太陽光発電４を電源とした防犯灯、監視塔又は宣伝広告看板塔のような各種の設備を容易に構築することができ、本考案によるポ−ルの繋ぎ部材１によれば、従来例のボルトやナットを使用する作業に比較して簡単に短時間でワンタッチでポ−ルを繋ぐことができ、又、本考案によるポ−ルの繋ぎ部材１によれば、繋ぎ部材本体１００の突出部１０１は、ポ−ル２Ａとポ−ル２Ｂとポ−ル２Ｃに開けられた繋ぎ用開孔２００Ａ、２００Ｂ及び２００Ｃに挿着されていて、しかも、締付・閉鎖部材３により当該繋ぎ部材本体１００は締付け又は閉鎖されているので、、ボルトやナットの使用の場合のような錆付きが少なく、錆びの為にポ−ルが倒れ安全性を欠如したり、ボルトやナットのような取り外しが難しくなる等という問題がなく、特に、海岸乃至海岸に近いところでも海風からの塩の影響で予想以上に錆びが生じ易いという問題を解消できるので、当該ポ−ルの設置や当該塔等の構築が容易となり、海岸に近いところでも当該ポ−ルの設置や当該塔等の構築が可能となる。
当該太陽光発電５は、地上に直接設置することも可能であるが、太陽光を十分に受けることができる場所として、一般的には、屋根や壁など建造物に設置（建物一体型の太陽光発電システム）されるのが通常であるが、本考案によれば、当該建物一体型の太陽光発電システムによらない太陽光発電システムを構築できる。近年は軽量で柔軟なフレキシブル型太陽電池も開発されており、取り付けの自由度が高まっているので、業者に依らずに、当該ポ−ルを容易に設置して当該灯や塔等を構築することができる。
当該防犯塔、監視塔又は宣伝広告看板塔によれば、当該太陽光発電４を防犯灯、監視塔又は宣伝広告看板塔の電源として使用できると共に、電気自動車（ＥＶ）５等の車両の電源として使用することができる。自動車５のバッテリ−補助 としても利用できる。
【００１９】
図１６に示すように、地デジのＵＨＦアンテナ（塔）１１の構築もできる。本考案によるポ−ルの繋ぎ部材１を用いてポ−ル２Ａとポ−ル２Ｂとポール２Ｃの繋ぎ箇所に繋ぎ部材１を使用し、順次高さ方向に伸長した地デジのＵＨＦアンテナポ−ルを形成していく。その際に、図示が省略されているが、繋ぎ部材本体１００の突出部１０１をポ−ル２Ａとポ−ル２Ｂに開けられた繋ぎ用開孔２００Ａ、２００Ｂに挿着し、締付・閉鎖部材３により繋ぎ部材本体１００を締付け又は閉鎖していく態様は前記の通りである。
地デジの移行には、ＵＨＦアンテナの設置が必要で、前記のように、本考案に依れば、容易に伸長ポールを構築できる。
【００２０】
本考案では、図１７に示すように、本考案によるポ−ルの繋ぎ部材１を用いて伸長ポ−ルを構築すると共に、太陽光発電５を付設し、又、当該太陽光発電５を電源とした防犯灯１０ａ、監視カメラ装置１０ｂ又は看板１０ｃ等を付設すれば、例えば、防犯・監視・宣伝広告の機能を果たすと共に、電気自動車（ＥＶ）９等の車両の電源としても使用できるようにすることができる。尚、地デジのＵＨＦアンテナ１１を更に構築してもよい。
【００２１】
本考案は、図１８に示すように、本考案のポ−ルの繋ぎ部材１を使用しないで、太陽光発電５を付設し、当該太陽光発電５を電源として利用できる太陽光発電塔Ｔを構築する構成を包含する。
その際に、当該太陽光発電５は、太陽電池が発電した電源をＤＣ１２Ｖ電源としてそのまま昼間のみ利用したり、又は、１２Ｖ電源としてそのまま昼間と夜間との両方利用することができる。当該後者の利用の場合の基本的な設備例としては、当該太陽電池、１２Ｖバッテリ−６、チャ−ジコントロ−ラ−（バッテリ−を過充電や過放電から保護する為の機器）７が挙げられる。
更に、当該太陽光発電５は、家庭用電源ＡＣ１００Ｖとして利用することもできる。当該家庭用電源としての利用の場合の基本的な設備例としては、当該太陽電池、１２Ｖバッテリ−６、チャ−ジコントロ−ラ−（バッテリ−を過充電や過放電から保護する為の機器）７が挙げられ、この場合には、更に、ＤＣ／ＡＣインバ−タ−８を備えて、当該ＤＣ／ＡＣインバ−タ−８により直流のＤＣ１２Ｖを交流のＡＣ１００Ｖに変換して出力する必要がある。
【００２２】
本考案は上記実施例に限定されず、適宜変更が可能である。
例えば、前記実施例では、締付・閉鎖部材３のフック掛部３１３を当該締付・閉鎖部材３の一部として構成した例を示したが、当該フック掛部３１３を繋ぎ部材１の一部として構成してもよく、他に、基台３０８及びフック掛部３０９等も同様である。
【産業上の利用可能性】
【００２３】
本考案は、ここに例示しない各種のポ−ルに適用できる。
【図面の簡単な説明】
【００２４】
【図１】（Ａ）本考案の実施例を示す鯉幟用ポ−ルの繋ぎ部材の一例断面図、（Ｂ）同平面図、（Ｃ）ポ−ルの組立図である。
【図２】（Ａ）、（Ｂ）それぞれ本考案の実施例を示す鯉幟用ポ−ルの繋ぎ部材の一例構成図及び適用説明図である。
【図３】本考案の実施例を示す鯉幟用ポ−ルの繋ぎ部材の一例展開図である。
【図４】（Ａ）ポ−ルの組立図、（Ｂ）及び（Ｃ）それぞれ本考案の他の実施例を示す鯉幟用ポ−ルの繋ぎ部材の一例構成図及び適用説明図である。
【図５】本考案の実施例を示す締付・閉鎖部材の一例構成図及び適用説明図である。
【図６】本考案の実施例を示す締付・閉鎖部材の一例構成図及び適用説明図である。
【図７】本考案の実施例を示す締付・閉鎖部材の適用構成図である。
【図８】本考案の実施例を示す締付・閉鎖部材の適用構成図である。
【図９】（Ａ）、（Ｂ）それぞれ本考案の実施例を示す締付・閉鎖部材の一例構成図である。
【図１０】本考案の他の実施例を示す締付・閉鎖部材の一例構成図である。
【図１１】本考案の更に他の実施例を示す締付・閉鎖部材の一例構成図である。
【図１２】（Ａ）、（Ｂ）それぞれ本考案の更に又他の実施例を示す締付・閉鎖部材の一例構成図、（Ｃ）本考案の更に他の実施例を示すポ−ルの繋ぎ部材の構成図である。
【図１３】本考案による鯉幟用ポ−ルの組立説明図である。
【図１４】本考案による太陽光発電塔の組立説明図である。
【図１５】本考案による防犯塔、監視塔及び宣伝広告塔の組立説明図である。
【図１６】本考案による地デジ塔の組立説明図である。
【図１７】本考案による太陽光発電・防犯・監視・宣伝広告及び車両の電源塔の組立説明図である。
【図１８】本考案の繋ぎ部材を用いない太陽光発電塔の組立説明図である。
【図１９】従来例の鯉幟用ポ−ルの説明図である。
【図２０】従来例の鯉幟用ポ−ルの説明図である。
【符号の説明】
【００２５】
１…鯉幟用ポ−ルの繋ぎ部材
２…ポ−ル
３…締付・閉鎖部材
５…太陽光発電
１０ａ…防犯灯
１０ｂ…監視装置
１０ｃ…看板
１００…繋ぎ部材本体
１０１…突出部
２００…繋ぎ用開孔
Ｂ…防犯・監視・宣伝広告塔
Ｐ…鯉幟用ポ−ル
Ｔ…太陽光発電塔
【図１】
0003159523.tif 000003
【図２】
0003159523.tif 000004
【図３】
0003159523.tif 000005
【図４】
0003159523.tif 000006
【図５】
0003159523.tif 000007
【図６】
0003159523.tif 000008
【図７】
0003159523.tif 000009
【図８】
0003159523.tif 000010
【図９】
0003159523.tif 000011
【図１０】
0003159523.tif 000012
【図１１】
0003159523.tif 000013
【図１２】
0003159523.tif 000014
【図１３】
0003159523.tif 000015
【図１４】
0003159523.tif 000016
【図１５】
0003159523.tif 000017
【図１６】
0003159523.tif 000018
【図１７】
0003159523.tif 000019
【図１８】
0003159523.tif 000020
【図１９】
0003159523.tif 000021
【図２０】
0003159523.tif 000022